(57)【要約】【課題】毛体群の被清掃物との接触面積を多くすることができ、床等の角部を清掃する際の清掃効率を高めることができる清掃用具を提供する。【解決手段】略Ｃ字形をなし、少なくとも外周に毛体群３を保持してある保持部２１及び該保持部２１の両端から外方へ突出し、柄体１の先端部に取付けられる連結部を有する保持体２を備え、柄体１の先端部に、前記連結部が嵌入されている嵌入孔及び毛体群３の内側に配されて保持部２１と対向し、該保持部２１の変形を抑止するための板状の抑止部１４を設けた。【選択図】図２
2011050698.tif 000002
【特許請求の範囲】
【請求項１】
柄体の先端部に毛体群が設けられている清掃用具において、略Ｃ字形をなし、少なくとも外周に前記毛体群を保持してある保持部及び該保持部の両端から外方へ突出している連結部を有する保持体を備え、前記柄体の先端部に、前記連結部が嵌入されている嵌入孔及び前記毛体群の内側に配されて前記保持部と対向し、該保持部の変形を抑止するための抑止部を設けてあることを特徴とする清掃用具。
【請求項２】
前記保持体は撚線により形成され、前記毛体群は前記撚線の線間に保持されている請求項１に記載の清掃用具。
【請求項３】
前記抑止部は板状をなしている請求項１又は２に記載の清掃用具。
【請求項４】
前記抑止部は、前記柄体の長手方向に対して傾斜する方向に配されている請求項３に記載の清掃用具。
【請求項５】
前記嵌入孔は前記柄体の先端で、且つ該柄体の長手方向と直交する二つの位置から前記柄体の長手方向と平行的に配してある請求項１から４のいずれか一つに記載の清掃用具。
【発明の詳細な説明】
【技術分野】
【０００１】
本発明は柄体の先端部に毛体群が設けられている清掃用具に関する。
【背景技術】
【０００２】
浴場などの床、浴槽内等を清掃するための清掃用具は、柄体の先端部に、該柄体の長手方向に対して傾斜する板状の取付部が設けられ、該取付部の下面に、清掃材が保持されている保持体が取付けられている（例えば、特許文献１参照）。
【先行技術文献】
【特許文献】
【０００３】
【特許文献１】特開２００３−２１０３８１号公報
【発明の概要】
【発明が解決しようとする課題】
【０００４】
ところが、特許文献１のような清掃用具は、柄体の先端部に設けられている板状の取付部の下面に清掃材が設けられるため、浴場等の床を清掃する際、角部の床面と壁面とを同時に清掃することができず、清掃効率が悪いという問題があった。
【０００５】
本発明は斯かる事情に鑑みてなされたものであり、主たる目的は略Ｃ字形をなす環部を有し、該環部の周りに毛体群を保持してある保持体を設け、環部の周りで環状をなしている前記毛体群の内側に配されて前記環部と対向し、該環部の変形を抑止するための抑止部を柄体の先端部に設けることにより、角部の床面と壁面とを同時に清掃することができ、床等の角部を清掃する際の清掃効率を高めることができる清掃用具を提供することにある。
【０００６】
また、他の目的は保持体を撚線により形成し、毛体群を前記撚線の線間に保持してある構成とすることにより、毛体群を保持体に簡易に保持することができる清掃用具を提供することにある。
【０００７】
また、他の目的は前記抑止部を板状とすることにより、抑止部の剛性を高めることができる清掃用具を提供することにある。
【０００８】
また、他の目的は前記抑止部を、柄体の長手方向に対して傾斜する方向に配することにより、柄体を把持しての清掃作業性を高めることができるとともに、清掃時に毛体群に加わる力で保持体が変形するのをより一層抑止することができる清掃用具を提供することにある。
【０００９】
また、他の目的は前記柄体の先端で、且つ該柄体の長手方向と直交する二つの位置から前記柄体の長手方向と平行的に嵌入孔を設けることにより、保持体の取付部の剛性を高めることができる清掃用具を提供することにある。
【課題を解決するための手段】
【００１０】
本発明に係る清掃用具は、柄体の先端部に毛体群が設けられている清掃用具において、略Ｃ字形をなし、少なくとも外周に前記毛体群を保持してある保持部及び該保持部の両端から外方へ突出している連結部を有する保持体を備え、前記柄体の先端部に、前記連結部が嵌入されている嵌入孔及び前記毛体群の内側に配されて前記保持部と対向し、該保持部の変形を抑止するための抑止部を設けてあることを特徴とする。
【００１１】
この発明にあっては、角部の床面と壁面とを同時に清掃することができ、床等の角部を清掃する際の清掃効率を高めることができる。
【００１２】
また、本発明に係る清掃用具は、前記保持体は撚線により形成され、前記毛体群は前記撚線の線間に保持されていることを特徴とする。
この発明にあっては、毛体群を保持体に簡易に保持することができ、兼価にできる。
【００１３】
また、本発明に係る清掃用具は、前記抑止部は板状をなしていることを特徴とする。
この発明にあっては、抑止部の剛性を高めることができ、清掃時に毛体群に加わる力で保持体が変形するのをより一層抑止することができる。
【００１４】
また、本発明に係る清掃用具は、前記抑止部は、前記柄体の長手方向に対して傾斜する方向に配されていることを特徴とする。
この発明にあっては、柄体の長手方向に対して毛体群を傾斜させることができ、柄体を把持しての清掃作業性を高めることができ、しかも、清掃時に毛体群に加わる力で保持体が変形するのをより一層抑止することができる。
【００１５】
また、本発明に係る清掃用具は、前記嵌入孔は前記柄体の先端で、且つ該柄体の長手方向と直交する二つの位置から前記柄体の長手方向と平行的に配してあることを特徴とする。
この発明にあっては、保持体の取付部の剛性を高めることができる。
【発明の効果】
【００１６】
本発明によれば、角部の床面と壁面とを同時に清掃することができ、床等の角部を清掃する際の清掃効率を高めることができる。
また、本発明によれば、毛体群を保持体に簡易に保持することができる。
また、本発明によれば、抑止部の剛性を高めることができ、清掃時に毛体群に加わる力で保持体が変形するのをより一層抑止することができる。
また、本発明によれば、柄体を把持しての清掃作業性を高めることができるとともに、清掃時に毛体群に加わる力で保持体が変形するのをより一層抑止することができる。
また、本発明によれば、保持体の取付部の剛性を高めることができる。
【図面の簡単な説明】
【００１７】
【図１】本発明に係る清掃用具の構成を示す正面図である。
【図２】本発明に係る清掃用具の構成を示す側面図である。
【図３】本発明に係る清掃用具の構成を示す拡大した縦断側面図である。
【図４】本発明に係る清掃用具の構成を示す柄体の底面図である。
【図５】本発明に係る清掃用具の保持体の構成を示すもので、(a) は正面図、(b) は側面図である。
【図６】本発明に係る清掃用具の保持体が毛体群を保持する過程を示す説明図である。
【発明を実施するための形態】
【００１８】
以下本発明をその実施の形態を示す図面に基づいて詳述する。図１は清掃用具の構成を示す正面図、図２は清掃用具の構成を示す側面図、図３は清掃用具の構成を示す拡大した縦断側面図、図４は清掃用具の構成を示す柄体の底面図である。
【００１９】
本発明に係る清掃用具は、棒状の柄体１と、該柄体１の先端部に取付けられている保持体２と、該保持体２に保持されている毛体群３とを備える。
【００２０】
柄体１は、元側柄部１１と、該元側柄部１１の先端に取外しを可能に継合されている先側柄部１２とを有する。先側柄部１２の先端部には、柄体１の長手方向とほぼ直交する端面１ａと、該端面１ａで、且つ前記長手方向と直交する二つの位置から前記長手方向と平行的に開設されている二つの嵌入孔１３と、端面１ａの周縁部から前記長手方向に対して傾斜する方向へ突出し、前記保持体２と対向して該保持体２の変形を抑止する抑止部１４とが設けられており、合成樹脂材にて一体に成形されている。
【００２１】
抑止部１４は、図１、図３に示すように平面視略楕円形の板状をなし、長手方向中央部の一側が先側柄部１２の半周面部に連なる。抑止部１４の下面には周縁部よりも内側が窪む凹所１４ａ及び該凹所１４ａ内で下方へ突出する複数のリブ１４ｂが設けられ、端面１ａが凹所１４ａに開放されている。
【００２２】
図５は保持体２の構成を示すもので、(a) は正面図、(b) は側面図、図６は保持体２が毛体群３を保持する過程を示す説明図である。尚、図３及び図５の保持体２は、撚線の形状を省略し、単線形状に表示してある。
【００２３】
保持体２は、略Ｃ字形をなす保持部２１及び該保持部２１の両端から外方へ平行的に突出し、嵌入孔１３へ嵌入される二つの連結部２２，２２を有し、２本の金属線を撚合わせてなる撚線２ａにより形成されている。保持部２１は抑止部１４に対応して平面視略楕円形をなし、抑止部１４の周縁部下面に保持部２１が対向し、保持部２１が上方へ変形するのを抑止部１４が防ぐように構成されている。
【００２４】
毛体群３は、比較的短い寸法の複数の毛体３ａを束ねてなり、撚線２ａを構成する２本の金属線が図６に示すように撚合わされるとき、複数の毛体３ａの長手方向中央部が順次金属線間に挾持され、毛体３ａが撚線２ａの撚り方向に偏倚しつつ撚線２ａの周りに螺旋状に配され、毛体３ａの両端側が撚線２ａの外側に配され、全体が棒状になる。そして、撚線２ａが略Ｃ字形に湾曲されことにより、毛体群３が保持部２１の全周面に配され、保持部２１周りの毛体３ａの量が多くなる。
【００２５】
以上のように構成された清掃用具は、撚線２ａにて毛体群３を保持してなる保持体２の連結部２２，２２が加熱手段にて加熱された状態で該連結部２２，２２が二つの嵌入孔１３，１３に嵌入されることにより、嵌入孔１３の内周部が溶融化し、保持体２が先側柄部１２の先端に取付けられる。この際、二つの連結部２２，２２は離隔して対向し、離隔して開設されている二つの嵌入孔１３，１３に連結部２２，２２が嵌入固定されるため、保持体２の取付部の剛性を高めることができる。
【００２６】
先側柄部１２に保持体２にて取付けられた毛体群３は略Ｃ字形をなす保持部２１の全周面に配され、両端部が抑止部１４の周面よりも外方にあり、抑止部１４を覆っている。換言すると略Ｃ字形をなす保持部２１の全周面に配されている毛体群３の外側部分よりも内側に抑止部１４が配され、該抑止部１４を毛体群３が覆っている。
【００２７】
以上のように構成された清掃用具にて例えば浴場を清掃する場合、毛体群３の下面側が床に接触し、毛体群３の周縁側が角部の壁に接触した状態で擦ることができるため、角部の床、壁の清掃を効率的に行うことができる。
【００２８】
また、連結部２２，２２が嵌入孔１３，１３に嵌入固定された保持部２１は抑止部１４の周縁部下面に当接し、保持部２１が上方へ変形するのを抑止部１４が抑止しているため、撚線２ａにて毛体群３を保持してなる簡易構造の保持体２が、清掃時に毛体群３に加わる力で変形するのを防ぐことができる。
【００２９】
なお、以上説明した実施の形態では、保持部２１を略楕円形としたが、その他、保持部２１は略長円形、略丸形をなす形状であってもよく、保持部２１の形状は特に制限されない。また、保持部２１の両端から外方へ突出する連結部２２，２２は、図５のように離隔している他、二つが重なる構成しとしてもよい。この場合、嵌入孔１３は一つとなる。
【００３０】
また、以上説明した実施の形態では、毛体群３が保持部２１の全周面に配される構成としたが、その他、毛体群３は保持部２１の内周になく、外周にある構成としてもよい。この場合、例えば棒状をなす保持部の周方向一部を除く他の周面に複数の毛体３ａを、植毛、溶着等の結合手段にて結合し、非毛体側が内周となるように保持部が略Ｃ字形に湾曲されことにより、毛体群３が保持部２１の外周に配される。
【００３１】
また、以上説明した実施の形態では、抑止部１４を平面視略楕円形の板状をなす構成としたが、その他、保持部２１に対応する環状であってもよく、抑止部１４の形状は特に制限されない。
【符号の説明】
【００３２】
１    柄体
１３  嵌入孔
１４  抑止部
２    保持体
２１  保持部
２２  連結部
３    毛体群
【図１】
2011050698.tif 000003
【図２】
2011050698.tif 000004
【図３】
2011050698.tif 000005
【図４】
2011050698.tif 000006
【図５】
2011050698.tif 000007
【図６】
2011050698.tif 000008